(57)【要約】【課題】長時間の連続的な塗布操作においても、塗布量を均一なものとして塗装することができ、さらには洗浄作業の負担をも大幅に軽減することのできる、改善された新しいブラシ塗装機を提供する。【解決手段】ロール塗布ブラシ（１）と塗料バット（２）並びに堰板（３）とを備え、ロール塗布ブラシ（１）に塗料バット（２）内の塗料（４）を付着させ、堰板（３）によってロール塗布ブラシ（１）が弾かれることで塗料（４）を被塗装体に飛散塗布するようにしたブラシ塗装機において、塗料バット（２）の塗料飛散側の先端部（２Ａ）内側に回転ローラ（６）が配設されているブラシ塗装機とする。【選択図】　　　　図１
2004024997.tif 000002
【特許請求の範囲】
【請求項１】
ロール塗布ブラシと塗料バット並びに堰板とを備え、ロール塗布ブラシに塗料バット内の塗料を付着させ、堰板によってロール塗布ブラシが弾かれることで塗料を被塗装体に飛散塗布するようにしたブラシ塗装機において、塗料バットの塗料飛散側の先端部内側に回転ロールが配設されていることを特徴とするブラシ塗装機。
【請求項２】
ロール塗布ブラシと塗料バット並びに堰板とを備え、ロール塗布ブラシに塗料バット内の塗料を付着させ、堰板によってロール塗布ブラシが弾かれることで塗料を被塗装体に飛散塗布するようにしたブラシ塗装機において、ロール塗布ブラシと略同長の回転スクリューロールがロール塗布ブラシのブラシ根元に押し当てられて配設されていることを特徴とするブラシ塗装機。
【請求項３】
ロール塗布ブラシと塗料バット並びに堰板とを備え、ロール塗布ブラシに塗料バット内の塗料を付着させ、堰板によってロール塗布ブラシが弾かれることで塗料を被塗装体に飛散塗布するようにしたブラシ塗装機において、堰板をロール塗布ブラシのブラシよりも耐摩耗性の低いものとし、かつ、左右に往復動可能としていることを特徴とするブラシ塗装機。
【請求項４】
堰板を上下スライド可能としていることを特徴とする請求項３のブラシ塗装機。
【発明の詳細な説明】
【０００１】
【発明の属する技術分野】
この出願の発明は、ブラシ塗装機に関するものである。さらに詳しくは、この出願の発明は、建材等の意匠性を向上させるためのロール塗布ブラシによる塗料の飛散塗装を連続的、均一塗装として行うことを可能とする、改良された新しいブラシ塗装機に関するものである。
【０００２】
【従来の技術】
従来より、屋根材や外壁材等の建材の意匠性を向上させるため塗装手段として、たとえばその概要を図６に示したように、回転ロールに硬質なブラシを植付けたロール塗布ブラシ（１）と、塗料バット（２）と、堰板（３）とを備えたブラシ塗装機が知られている。このブラシ塗装機では、ロール塗布ブラシ（１）を回転させることによって、これに塗料バット（２）内の塗料（４）を付着させ、堰板（３）によってロール塗布ブラシ（１）を弾くことで付着した塗料（４）を飛散させ、被塗装体（５）の表面をこの飛散された塗料の溜下によって塗装するようにしている。このようなブラシ塗装機による塗料の飛散塗布によって意匠性の高い塗装が可能とされる。
【０００３】
【発明が解決しようとする課題】
しかしながら、以上のとおりの従来のブラシ塗装機の場合には被塗装体（５）表面への所定の意匠での塗装を連続して均一に行うためにはいくつかの改善すべき課題があった。
【０００４】
まず第１には、従来のブラシ塗装機においては、図７にも示したように、連続的に操作すると、塗料バット（２）の塗料飛散側の先端部（２Ａ）に塗料（４）が溜まりやすく、溜まった塗料（４Ａ）がまとまってボタ落ちして被塗装体（５）表面への塗布量にバラツキが生じやすいという問題があった。
【０００５】
また、第２には、連続的な飛散塗布を継続する場合、どうしてもロール塗布ブラシ（１）のブラシの根元に塗料（４Ｂ）が詰まりやすく、このことによって塗布量にバラツキが生じるという問題があった。このような塗料のブラシ根元への詰まりに対しては、従来、ブラシ塗装機を停止させて金属製の細い棒を用いて手作業で塗料をかき出すようにしているが、手作業でのブラシ洗浄は大変に面倒で生産性の向上を大きく制約するものであった。
【０００６】
さらに第３には、従来のブラシ塗装機においては、ロール塗布ブラシ（１）のナラシと堰板（３）との接触にともなって堰板（３）、そしてブラシの偏摩耗が生じ、これによって塗料の塗布量のバラツキが生じるという問題があった。堰板（３）の偏摩耗では、ブラシのピッチが広い場合には、堰板（３）はノコギリ刃状に摩耗してしまうこともある。
【０００７】
以上のようなことから、従来では長時間連続的に均一な塗布量での塗布を行うことが難しいのが実情であった。
【０００８】
そこで、この出願の発明では、以上のとおりの従来の問題点を解消し、長時間の連続的な塗布操作においても、塗布量を均一なものとして塗装することができ、さらには洗浄作業の負担をも大幅に軽減することのできる、改善された新しいブラシ塗装機を提供することを課題としている。
【０００９】
【課題を解決するための手段】
この出願の発明は、上記の課題を解決するものとして第１には、ロール塗布ブラシと塗料バット並びに堰板とを備え、ロール塗布ブラシに塗料バット内の塗料を付着させ、堰板によってロール塗布ブラシが弾かれることで塗料を被塗装体に飛散塗布するようにしたブラシ塗装機において、塗料バットの塗料飛散側の先端部内側に回転ロールが配設されていることを特徴とするブラシ塗装機を提供する。
【００１０】
また、この出願の発明は、第２には、ロール塗布ブラシと塗料バット並びに堰板とを備え、ロール塗布ブラシに塗料バット内の塗料を付着させ、堰板によってロール塗布ブラシが弾かれることで塗料を被塗装体に飛散塗布するようにしたブラシ塗装機において、ロール塗布ブラシと略同長の回転スクリューロールがロール塗布ブラシのブラシ根元に押し当てられて配設されていることを特徴とするブラシ塗装機を提供する。そして、この出願の発明は第３には、ロール塗布ブラシと塗料バット並びに堰板とを備え、ロール塗布ブラシに塗料バット内の塗料を付着させ、堰板によってロール塗布ブラシが弾かれることで塗料を被塗装体に飛散塗布するようにしたブラシ塗装機において、堰板をロール塗布ブラシのブラシよりも耐摩耗性の低いものとし、かつ、左右に往復動可能としていることを特徴とするブラシ塗装機を提供し、第４には堰板を上下スライド可能としていることを特徴とする上記のブラシ塗装機をも提供する。
【００１１】
【発明の実施の形態】
この出願の発明は上記のとおりの特徴をもつものであるが、以下にその実施の形態について説明する。
【００１２】
添付した図面の図１（Ａ）（Ｂ）は、この出願の第１の発明についての一つの実施形態を例示した概要側面図と正面図である。この図１（Ａ）（Ｂ）に例示したように、この出願の発明のブラシ塗装機においては、たとえば、インロー方式カップリングにより、線経０．５〜２．０ｍｍのブラシを植付けて外径１５０〜３００ｍｍとした。
【００１３】
ロール塗布ブラシ（１）と塗料バット（２）並びに堰板（３）とを備え、回転モータ（７）によって時計回り方向に回転するロール塗布ブラシ（１）に塗料バット（２）内の塗料（４）を付着させ、堰板（３）によってロール塗布ブラシ（１）が弾かれることで塗料（４）を被塗装体に飛散塗布するようにしたブラシ塗装機において、塗料バット（２）の塗料飛散側の先端部（２Ａ）内側に樹脂製等の回転ロール（６）が配設されており、この回転ローラ（６）が反時計回り方向に回転するようにしている。
【００１４】
このような構成によって、図２に例示したように、塗料バット（２）の塗料の飛散側先端部（２Ａ）に溜まりやすい塗料（４Ａ）はこの回転ロール（６）に付着した後に、その反時計回り方向の回転で塗料バット（２）に自然落下して戻ることになる。これによって、従来の場合のような塗料（４Ａ）の被塗装体へのボタ落ちを効果的に防止し、塗料の塗布量を連続操作においても均一とすることが可能となる。
【００１５】
図３（Ａ）（Ｂ）は、この出願の第２の発明についてその実施の形態を例示した概要側面図と正面図である。この図３（Ａ）（Ｂ）に示したように、たとえば、前記と同様のロール塗布ブラシ（１）と塗料バット（２）並びに堰板（３）とを備えて、ロール塗布ブラシ（１）に塗料バット（２）内の塗料（４）を付着させ、堰板（３）によってロール塗布ブラシ（１）が弾かれることで塗料を被塗装体に飛散塗布するようにしたブラシ塗装機は、ロール塗布ブラシ（１）と略同長の回転スクリューロール（８）がロール塗布ブラシ（１）のブラシ根元に押し当てられるように配設されている。
【００１６】
ロール塗布ブラシ（１）が回転モータ（７）によって時計回り方向に回転し、塗料（４）の飛散塗布が行われるとともに、回転モータ（９）によって反時計回り方向に回転する回転スクリューロール（８）により、ロール塗布ブラシ（１）のブラシ根元に溜る塗料が排出される。これによってブラシ根元に塗料が詰まらなくなり、長時間の連続塗布操作においても、飛散塗布による塗料の塗布量を均一安定化することができる。また、従来のように、手作業によって、詰った塗料をかき出すという洗浄作業の負担は軽減されることになる。
【００１７】
さらに、図４（Ａ）（Ｂ）は、この出願の第３および第４の発明についてその実施の形態を例示したものであるが、この図４（Ａ）（Ｂ）に例示したように、ロール塗布ブラシ（１）と塗料バット（２）並びに堰板（３）とを備えて、ロール塗布ブラシ（１）に塗料バット（２）内の塗料（４）を付着させ、堰板（３）によってロール塗布ブラシ（１）が弾かれることで塗料を被塗装体に飛散塗布するようにしたブラシ塗装機において、たとえば樹脂製の堰板（３）をロール塗布ブラシ（１）の樹脂製等ブラシよりも耐摩耗性の低いものとし、かつ、左右に往復動可能としている。また、この例においては、堰板（３）を上下スライド可能としてもいる。
【００１８】
堰板（３）の左右の往復動は、たとえば、シリンダ等による摺動機構（１０）によって５０〜１００ｍｍ／ｓ程度の摺動速度で行われる。また、上下のスライドを行う場合には、たとえば図５に例示したように、ボルト穴を長穴とすること等によって取り付け位置調整手段（１１）によって、堰板（３）の上下位置を調整することで可能とされる。もちろん以上の例によって限定されることはなく、各々な形態であってよい。
【００１９】
上記のとおり、堰板（３）の材質をブラシよりも耐摩耗性の低いものとすることでブラシの偏摩耗を抑制し、かつ、堰板（３）の左右の往復動によって、堰板（３）とブラシとの当り面を変化させることで堰板（３）の偏摩耗を抑えることができる。これにより、ブラシの摩耗時間は従来に比べて２倍以上、たとえば３〜４倍程度にまで延長することができ、ブラシと堰板（３）の偏摩耗を抑えることで、飛散塗布による塗料の均一安定な塗布量が得られる。
【００２０】
また、堰板（３）の上下位置を調整可能とすることで、この堰板（３）による堰き止め量を調節でき、このことによっても、飛散塗布による塗布量を一定安定化することが可能となる。
【００２１】
この出願の発明は、以上の例に限定されることなく、さらに様々な実施の形態が考慮されてよいことは言うまでもない。たとえば、上記の第１ないし第４の発明の２以上を組合わせてブラシ塗装機を構成してもよく、このことによって、塗布量の一定安定化の効果はより大きなものとなる。
【００２２】
【発明の効果】
この出願の発明は、以上詳しく説明したとおり、長時間の連続的な塗布操作においても、塗布量を均一なものとして塗装することができ、さらには洗浄作業の負担をも大幅に軽減することのできる、改善された新しいブラシ塗装機を提供することができる。
【図面の簡単な説明】
【図１】この出願の第１の発明のブラシ塗装機についてその概要を例示した側面図（Ａ）と正面図（Ｂ）である。
【図２】図１のブラシ塗装機の作用について例示した概要側面図である。
【図３】この出願の第２の発明のブラシ塗装機についてその概要を例示した側面図（Ａ）と正面図（Ｂ）である。
【図４】この出願の第３および第４の発明のブラシ塗装機についてその概要を例示した側面図（Ａ）と正面図（Ｂ）である。
【図５】図４のブラシ塗装機の動作について例示した正面図である。
【図６】従来のブラシ塗装機について例示した概要側面図である。
【図７】従来のブラシ塗装機の問題点について説明した概要側面図である。
【符号の説明】
１　ロール塗布ブラシ
２　塗料バット
２Ａ　飛散側先端部
３　堰板
４　塗料
４Ａ、４Ｂ　塗料
５　被塗装体
６　回転ロール
７　回転モータ
８　回転スクリューロール
９　回転モータ
１０　摺動機構
１１　取り付け位置調整手段
【図１】
2004024997.tif 000003
【図２】
2004024997.tif 000004
【図３】
2004024997.tif 000005
【図４】
2004024997.tif 000006
【図５】
2004024997.tif 000007
【図６】
2004024997.tif 000008
【図７】
2004024997.tif 000009